(57)【要約】【課題】ケース本体に被せる蓋ケースを板金用の硬い材料でも簡単に嵌めやすくする。【解決手段】ケース本体１１のサイドパネル１５の壁面に、逆Ｕ字の溝２３を形成し、その形成した逆Ｕ字の溝２３の内側に、逆Ｕ字の溝２３より小さなＵ字の溝２４を形成して、内側のＵ字の溝２４の下端２５をケース本体１１から外に向けて張り出し、その張り出した下端２５と係合する係合孔２２をケース本体１１に被さる蓋ケース１２のサイドパネル１９に設ける。こうすることで、蓋ケース１２をケース本体１１に被せると、ケース本体１１の張り出したＵ字の溝２４の下端２５が蓋ケース１２の係合孔２２と係合するので、簡単に嵌めることができる。【選択図】図１
2005294357.tif 000002
【特許請求の範囲】
【請求項１】
ケース本体とケース本体に被さる蓋ケースとからなり、前記ケース本体の壁面に、逆Ｕ字の溝の内側にＵ字の溝を形成した係合部を設け、その係合部をケース本体内に向けて「く」の字に折り曲げて、Ｕ字溝の下方の端部をケース本体から外に向けて張り出させるとともに、その張り出したＵ字溝の端部に係合する係合孔を、ケース本体の壁面に被さる蓋ケースの壁面に設けたケースの組立構造。
【請求項２】
上記蓋ケースの壁面が被さるケース本体の壁面下部と底面端部に連通する切欠を設けた請求項１に記載のケースの組立構造。
【発明の詳細な説明】
【技術分野】
【０００１】
この発明は、電気（子）機器のケースの組立構造に関するものである。
【背景技術】
【０００２】
板金で作成された回路基板などを内蔵する電気（子）機器のケース（筐体）では、ケースのケーシングは、ネジで行うのが主流である。
【０００３】
ところが、組立時の作業工程や組立後のメンテナンスのことを考慮すると、ネジ止めよりも図４（ａ）の（例えば、特許文献１の）樹脂ケースのように、樹脂を使ったバネ構造で係止するのが、嵌めたり外したりするのが簡単なので使いやすい。
【０００４】
すなわち、図４（ａ）のものでは、上部ケース１に突起３を設け、下部ケース２に前記突起３を嵌合させる凹部４を設けて、フロントパネル５の下端に図４の（ｂ）のようなバネ部材６を形成している。そして、バネ部材６を形成したフロントパネル５を下部ケース２に嵌めて、上部ケース１に図４（ａ）の矢印（イ）のように押圧を加え、矢印（ロ）のように動かして、バネ部材６を圧縮しながら上部ケース１の突起３を下部ケース２の凹部４に嵌めることで取り付けるようになっている。
【０００５】
ところが、板金ケースは、樹脂ケースに比べて遙に重いため、図４のような樹脂のバネ構造を採用すると、例えばケースの重みで（重みで樹脂性のバネが潰れて所定のバネ圧が得られない場合など）外れやすくなったりして、ケースの強度が低下する問題がある。
【０００６】
そのため、バネ構造にケースと同じ板金用の金属を使えば、ケースの強度は満足できるはずである。しかし、樹脂程弾性がないので嵌めづらく、また、嵌めたとしても今度は外しずらく作業性が悪くなる問題がある。
【０００７】
一方、板金ケースの組付け及び分解作業を軽減するのに適したものとして、（例えば、特許文献２）に記載された図５に示すものがある。
【０００８】
このものは、図５（ａ）のように、蓋ケース７に鉤状突起８を設け、ケース本体（台座）９に切り起こしによって形成した爪状突起１０を設けたもので、蓋ケース７を図５（ａ）の矢印のように、スライドさせて、鉤状突起８を爪状突起１０に係合するというものである。
【特許文献１】特開２００３−１１５６７２号公報
【特許文献２】特開平１０−４１６４２号公報
【発明の開示】
【発明が解決しようとする課題】
【０００９】
しかしながら、上記の鉤状突起と爪状突起を設けたものでは、爪状突起は板金で形成できるが、鉤状突起は後付けしなければならないので、手間がかかり、コストもアップする問題がある。
【００１０】
また、ケースから突出した鉤状突起と爪状突起で作業中にケガをする問題がある。
【００１１】
さらに、ケースから突出た鉤状突起と爪状突起とが係合すると、図５（ｂ）のように隙間ができるので、その分だけケースが大きくなってしまう問題がある。
【００１２】
そこで、この発明の課題は、板金用の硬い材料でも簡単に嵌めやすくすること、強い嵌合状態でも容易に嵌合を解除できるようにして作業性を向上すること、製作が簡単にできること、コストアップしないこと、ケガをしないようにすること、ケースが大きくならないようにすることである。
【課題を解決するための手段】
【００１３】
上記の課題を解決するため、この発明では、ケース本体とケース本体に被さる蓋ケースとからなり、前記ケース本体の壁面に、逆Ｕ字の溝の内側にＵ字の溝を形成した係合部を設け、その係合部をケース本体内に向けて「く」の字に折り曲げて、Ｕ字溝の下方の端部をケース本体から外に向けて張り出させるとともに、その張り出したＵ字溝の端部に係合する係合孔を、ケース本体の壁面に被さる蓋ケースの壁面に設けた構成を採用したのである。
【００１４】
このような構成を採用することにより、ケース本体に蓋ケースを被せると、蓋ケースの係合孔に張り出したＵ字溝の端部が嵌まり、蓋ケースを取り付けることができる。このとき、張り出したＵ字溝の端部は、「く」の字に曲げたことにより、下に行くほど外へ張り出すことになるので、蓋ケースの係合を邪魔しない。また、張り出した下端が係合孔の縁と係合するので抜け落ちを防止できる。その際、Ｕ字溝の端部の張り出しは、少なくとも蓋ケースの厚みがあればよく、大きく突出させる必要がないので、ケガなどを起こしにくい。さらに、Ｕ字及逆Ｕ字の溝の形成は、簡単な板金作業でできるので、簡単に製作できてコストアップも最少限で済ますことができる。また、Ｕ字溝の端部の張り出しは、少なくとも蓋ケースの厚みで良いのでケースも大きくならない。
【００１５】
このとき、上記蓋ケースの壁面が被さるケース本体の壁面下部と底面端部に連通する切欠を設けた構成を採用できる。
【００１６】
このような構成を採用することにより、切欠にドライバーなど先の尖ったものを挿入し、切欠の縁を支点にして蓋ケースの壁面を持ち上げることができるので、梃子と同じようにドライバーを使って簡単に係合孔ＳＵ字溝の端部との係合を解除できる。
【発明の効果】
【００１７】
この発明は、以上のように構成したことにより、ワンタッチで組立ができる。また、どこにでもあるドライバー一本あれば、梃子と同じようにして殆ど力も使わずに嵌合を解除できる。また、蓋ケースに孔を設けるだけなので、外観を損なうこともない。さらに、構造がシンプルで無理の無い金型で実現できるため、コストアップを最小限にしてあらゆるケース（筐体）に応用できる。
【発明を実施するための最良の形態】
【００１８】
以下、この発明の最良の実施の形態を図面に基づいて説明する。
【００１９】
図１（ａ）に示すように、この形態のケースは、ケース本体１１と蓋ケース１２とからなり、蓋ケース１２をケース本体１１に被せるようになっている。
【００２０】
ケース本体１１は、底面パネル１３、フロントパネル１４、サイドパネル（左右）１５、リアパネル１６とからなっており、図１（ｂ）に示すように、本体内に回路基板１７を支持するようになっている。
【００２１】
他方、蓋ケース１２は、上面パネル１８、サイドパネル（左右）１９、リアパネル２０とからなっており、少しケース本体１１よりも大きめに形成して、蓋ケース１２のサイドパネル（左右）１９とリアパネル２０が、ケース本体１１のサイドパネル（左右）１５とリアパネル１６に被さるようになっている。
【００２２】
そのケース本体１１と蓋ケース１２のサイドパネル（左右）１５、１９には、それぞれ、係合部２１と係合孔２２が設けられている。
【００２３】
係合部２１は、図１（ａ）に示すように、ケース本体１１のサイドパネル１５の壁面に、逆Ｕ字の溝２３を形成し、その形成した逆Ｕ字の溝２３の内側に、逆Ｕ字の溝２３より小さなＵ字の溝２４を形成した構造となっている。また、その係合部２１は、ケース本体内に向けて少しだけ「く」の字に折り曲げることにより、内側のＵ字の溝２４の下端２５がケース本体１１から外に向けて張り出すようにしてある。
【００２４】
一方、係合孔２２は、図１（ｂ）のように、蓋ケース１２を被せた状態で、蓋ケース１２のサイドパネル１９のケース本体１１の係合部２１と対向する位置に設けることにより、ケース本体１１の係合部２１の張り出したＵ字の溝２４の下端２５が係合するようになっている。そのため、係合孔２２の大きさは、少なくともＵ字の溝２４の下端２５が嵌まる寸法に形成されている。
【００２５】
また、上記蓋ケース１２の壁面が被さるケース本体１２の壁面下部と底面端部に連通する切欠２６を設けており、前記切欠２６に棒状のもの、例えば、ドライバーなど先の尖ったものを挿入し、切欠２６の縁を支点にして蓋ケース１１の壁面を持ち上げることにより、梃子と同じようにドライバーで蓋ケース１２のサイドパネル１９を持ち上げて、簡単に係合孔２２とＵ字の溝２４の下端２５との係合を解除できる。
【００２６】
この形態は、上記のように構成されており、例えば、ケース本体１１に回路基板１７を取付け、その回路基板１７を取付けたケース本体１１に蓋ケース１２を取付ける場合は、蓋ケースを図１（ａ）の矢印のようにケース本体１１に被せる。すると、図２（ａ）のように、ケース本体１１のサイドパネル１５から張り出したＵ字の溝２４の下端２５に、蓋ケース１２の下端が接する。このとき、張り出したＵ字の溝２４の下端２５は、「く」の字に曲げたことにより、下に行くほど張り出すことになるので、蓋ケース１２が下方へ進むのを邪魔しない。また、その際、張り出したＵ字の溝２４の下端２５は、図２（ｂ）のように内側へへこみ、逆に、蓋ケース１２のサイドパネル１９は外側に膨らむので、スムースに被せることができる。そして、蓋ケース１２がケース本体１１に被さると、図２（ｃ）のように、蓋ケース１２の係合孔２２の縁部とケース本体１１から張り出したＵ字の溝２４の下端２５とが係合し、蓋ケース１２が外れようとしても、Ｕ字の溝２４の下端２５が支えて外れないようにできる。
【００２７】
このように、しっかりと係合した係合孔２２の縁部とケース本体１１のＵ字の溝２４の下端２５とを外すには、図３（ａ）のように、ケース本体１１のサイドパネル１５と底面パネル１３の端部に連通する切欠２６に先端の尖ったドライバーなどの棒状のものを挿入し、図３（ａ）の矢印のように動かせば、切欠２６の縁を支点とし、梃子と同じようにして、蓋ケース１２のサイドパネル１９を図３（ｂ）のように持ち上げることができるので、簡単に係合孔２２とＵ字の溝２４の下端２５との係合を解除して蓋ケース１２を取り外すことができる。このように、蓋ケース１２を簡単に取り外したり、取り付けることができる。
【産業上の利用可能性】
【００２８】
簡単な構造なので、あらゆるケース（筐体）応用できる。
【図面の簡単な説明】
【００２９】
【図１】（ａ）実施形態の分解斜視図、（ｂ）実施形態の断面図
【図２】（ａ）、（ｂ）、（ｃ）実施形態の作用説明図
【図３】（ａ）、（ｂ）実施形態の作用説明図
【図４】（ａ）、（ｂ）従来例の作用説明図
【図５】（ａ）、（ｂ）従来例の作用説明図
【符号の説明】
【００３０】
１１  ケース本体
１２  蓋ケース
１５  サイドパネル
２１  係合部                                                                    ２２  係合孔
２３  逆Ｕ字の溝
２４  Ｕ字の溝
２５  Ｕ字の溝の下端
２６  切欠
【図１】
2005294357.tif 000003
【図２】
2005294357.tif 000004
【図３】
2005294357.tif 000005
【図４】
2005294357.tif 000006
【図５】
2005294357.tif 000007